(57)【要約】      （修正有）【課題】ユーザが、映像中の埋込可能な広告又はシーンに関連した関連情報を便利、かつ、効率的に得られ、様々なタイプの埋込可能な広告を実際の購買行動に換えるための変換比率が高められる、情報を提供するための方法及びデバイスを提供する。【解決手段】アップロードされた映像を得てＳ１０１、勧められた映像のコンテンツに関連したキーフレームを映像から得て、勧められた映像のコンテンツの関連情報を得てＳ１０２、映像を再生装置で再生してキーフレームを再生するときに関連情報を表示するように、映像及び関連情報を再生装置に送信するＳ１０３。【選択図】図１
2015171142.tif 000002
【特許請求の範囲】
【請求項１】
情報を提供するための方法であって、
アップロードされた映像を得て、
勧められた映像のコンテンツに関連したキーフレームを前記映像から得て、前記勧められた映像のコンテンツの関連情報を得て、
前記映像を再生装置で再生して前記キーフレームを再生するときに前記関連情報を表示するように、前記映像及び関連情報を前記再生装置に送信することを特徴とする方法。
【請求項２】
前記勧められた映像のコンテンツに関連したキーフレームを前記映像から得る際に、同一のシーンを有するキーフレームを前記映像から得て、該同一のシーンを有するキーフレームを前記勧められた映像のコンテンツに関連したキーフレームとして定めることを特徴とする請求項１に記載の方法。
【請求項３】
前記勧められた映像のコンテンツの関連情報を得る際に、
前記勧められた映像のコンテンツに関連したキーフレームを認識して検索キーワードを得て、該検索キーワードで検索し、前記勧められた映像のコンテンツの関連情報を得る、並びに／又は
ユーザ及び／若しくは広告主によって送信された前記関連情報を受信して、前記勧められた映像のコンテンツに前記関連情報を関連付けることを特徴とする請求項１又は２に記載の方法。
【請求項４】
前記関連情報は、商品のブランド、該商品の価格、前記商品を購入するためのリンク、関連するウェブサイト、ソーシャルネットワーク、チャットグループ、シーン、該シーンに関連したウェブサイト、前記シーンに関連した製品、該製品を購入するためのリンクからなる群から選ばれた少なくとも１つを有することを特徴とする請求項１乃至３のいずれかに記載の方法。
【請求項５】
情報を提供するための方法であって、
勧められた映像のコンテンツに関連したキーフレームを含む映像を得て再生し、
前記勧められた映像のコンテンツに関連したキーフレームを再生するとき、前記勧められた映像のコンテンツの関連情報を得て、該関連情報を表示することを特徴とする方法。
【請求項６】
情報を提供するためのデバイスであって、
アップロードされた映像を得るべく構成された第１の取得モジュールと、
勧められた映像のコンテンツに関連したキーフレームを前記映像から得るべく構成された第２の取得モジュールと、
前記勧められた映像のコンテンツの関連情報を得るべく構成された第３の取得モジュールと、
前記映像を再生装置で再生して前記キーフレームが再生されるときに前記関連情報を表示するように、前記映像及び関連情報を前記再生装置に送信すべく構成された送信モジュールと
を備えていることを特徴とするデバイス。
【請求項７】
前記第２の取得モジュールは、同一のシーンを有するキーフレームを前記映像から得て、該同一のシーンを有するキーフレームを前記勧められた映像のコンテンツに関連したキーフレームとして定めるべく更に構成されていることを特徴とする請求項６に記載のデバイス。
【請求項８】
前記第３の取得モジュールは、
前記勧められた映像のコンテンツに関連したキーフレームを認識して検索キーワードを得て、該検索キーワードで検索し、前記勧められた映像のコンテンツの関連情報を得る、並びに／又は
ユーザ及び／若しくは広告主によって送信された前記関連情報を受信して、前記勧められた映像のコンテンツに前記関連情報を関連付ける
べく更に構成されていることを特徴とする請求項６又は７に記載のデバイス。
【請求項９】
前記関連情報は、商品のブランド、該商品の価格、前記商品を購入するためのリンク、関連するウェブサイト、ソーシャルネットワーク、チャットグループ、シーン、該シーンに関連したウェブサイト、前記シーンに関連した製品、該製品を購入するためのリンクからなる群から選ばれた少なくとも１つを有することを特徴とする請求項６乃至８のいずれかに記載のデバイス。
【請求項１０】
情報を提供するためのデバイスであって、
勧められた映像のコンテンツに関連したキーフレームを含む映像を得て再生すべく構成された第１の取得モジュールと、
前記推奨された映像のコンテンツに関連したキーフレームが再生されるとき、前記推奨された映像のコンテンツの関連情報を得るべく構成された第２の取得モジュールと、
前記関連情報を表示すべく構成された表示モジュールと
を備えていることを特徴とするデバイス。
【請求項１１】
コンピュータで実行するとき、請求項１乃至５のいずれかに記載の情報を提供するための方法を実行するためのコンピュータプログラムを有することを特徴とするコンピュータ可読記憶媒体。
【発明の詳細な説明】
【技術分野】
【０００１】
本開示はインターネット技術に関し、より具体的には情報を提供するための方法及びデバイスに関する。
【背景技術】
【０００２】
現在、埋込可能な広告が、テレビ及びインターネットで映像に埋め込まれることが多い。より具体的には、ファッションショーでの演技者の生活必需品がファンに称賛と共に受け止められる。
【０００３】
ユーザが埋込可能な広告を映像から得たい場合、ユーザは、まず映像を見る過程である出演者の服装、映像が撮影された場所などのユーザが興味を持っているコンテンツを見つける必要があり、その後、ユーザは検索エンジンで検索したり、様々なフォーラムに投稿したりして、その出演者の服装のブランド又は価格、映像が撮影された場所の観光ガイドのような、ユーザが知りたいコンテンツを得て、更にユーザは、興味を持っている（その出演者の服装のような）商品を電子商取引を通じて購入してもよい。
【発明の概要】
【発明が解決しようとする課題】
【０００４】
しかしながら、上記の過程には、埋込可能な広告を得る過程、埋込可能な広告の関連情報を得る過程、及び関連情報に応じて消費する過程が分かれているという問題、並びに、埋込可能な広告を得る過程における障害、例えばユーザが服装のスタイルを見つける場合の検索すべきキーワードの決め方という問題がある。従って、埋込可能な広告をユーザに促す便利且つ効率的な方法が欠如している。
【０００５】
本開示の実施形態は、関連技術に存在する問題の少なくとも１つを少なくともある程度まで解決しようとしている。
【０００６】
従って、本開示の第１の目的は、情報を提供するための方法を提供することである。該情報を提供するための方法を用いて、ユーザは、映像中の埋込可能な広告又はシーンに関連した関連情報を便利且つ効率的に得てもよい。
【０００７】
本開示の第２の目的は、情報を提供するための別の方法を提供することである。
【０００８】
本開示の第３の目的は、情報を提供するためのデバイスを提供することである。
【０００９】
本開示の第４の目的は、情報を提供するための別のデバイスを提供することである。
【００１０】
本開示の第５の目的は、コンピュータ可読記憶媒体を提供することである。
【課題を解決するための手段】
【００１１】
上記の目的を達成するために、本開示の第１の態様の実施形態は、情報を提供するための方法を提供する。該方法では、アップロードされた映像を得て、勧められた映像のコンテンツに関連したキーフレームを前記映像から得て、前記勧められた映像のコンテンツの関連情報を得て、前記映像を再生装置で再生して前記キーフレームを再生するときに前記関連情報を表示するように、前記映像及び関連情報を前記再生装置に送信する。
【００１２】
上記の目的を達成するために、本開示の第２の態様の実施形態は、情報を提供するための方法を提供する。該方法では、勧められた映像のコンテンツに関連したキーフレームを含む映像を得て再生し、前記勧められた映像のコンテンツに関連したキーフレームを再生するとき、前記勧められた映像のコンテンツの関連情報を得て、該関連情報を表示する。
【００１３】
上記の目的を達成するために、本開示の第３の態様の実施形態は、情報を提供するためのデバイスを提供する。該デバイスは、アップロードされた映像を得るべく構成された第１の取得モジュールと、勧められた映像のコンテンツに関連したキーフレームを前記映像から得るべく構成された第２の取得モジュールと、前記勧められた映像のコンテンツの関連情報を得るべく構成された第３の取得モジュールと、前記映像を再生装置で再生して前記キーフレームが再生されるときに前記関連情報を表示するように、前記映像及び関連情報を前記再生装置に送信すべく構成された送信モジュールとを備えている。
【００１４】
上記の目的を達成するために、本開示の第４の態様の実施形態は、情報を提供するためのデバイスを提供する。該デバイスは、勧められた映像のコンテンツに関連したキーフレームを含む映像を得て再生すべく構成された第１の取得モジュールと、前記推奨された映像のコンテンツに関連したキーフレームが再生されるとき、前記推奨された映像のコンテンツの関連情報を得るべく構成された第２の取得モジュールと、前記関連情報を表示すべく構成された表示モジュールとを備えている。
【００１５】
本開示の実施形態に係る情報を提供するための方法及びデバイスでは、ユーザが映像を見るとき、ユーザが映像中の埋込可能な広告及びシーンの関連情報を便利且つ効率的に得るように、映像からの勧められた映像のコンテンツに関連したキーフレームをユーザに提供してもよく、従って、ユーザの要求が満たされる。更に、映像に埋め込まれる様々な広告に応じて商品を購入する機会が増え、ユーザ同士の関係、ユーザと映像との関係、及びユーザと商品との関係が確立され、従って、相互作用が高められる。特に、スマートテレビが急速に開発されているという背景に対して、テレビとの相互作用の不自由さ及びテレビでの映像の排他性のため、ユーザは関連情報を迅速且つ直接得ることができないが、本開示の実施形態に係る方法で解決され得る。
【００１６】
上記の目的を達成するために、本開示の第５の態様の実施形態はコンピュータ可読記憶媒体を提供する。コンピュータ可読記憶媒体は、コンピュータで実行するとき、本開示の第１の態様又は本開示の第２の態様に係る情報を提供するための方法を実行するためのコンピュータプログラムを有する。
【００１７】
本開示の実施形態の更なる態様及び利点は、以下の記載にある程度述べられており、以下の記載からある程度明らかになるか、又は本開示の実施形態の実施から習得される。
【００１８】
本開示の実施形態のこれら及び他の態様及び利点は、添付図面を参照した以下の記載から明らかになり、より容易に理解される。
【図面の簡単な説明】
【００１９】
【図１】本開示の一実施形態に係る情報を提供するための方法を示すフローチャートである。
【図２】本開示の一実施形態に係る情報を提供するためのデバイスを示すブロック図である。
【図３】本開示の別の実施形態に係る情報を提供するための方法を示すフローチャートである。
【図４】本開示の別の実施形態に係る情報を提供するためのデバイスを示すブロック図である。
【発明を実施するための形態】
【００２０】
本開示の実施形態を詳細に述べる。本開示の実施形態では、同一若しくは同様の要素、及び同一若しくは同様の機能を有する要素が、本明細書を通じて同一の参照番号によって示されている。本明細書に図面を参照して記載されている実施形態は説明及び実例のためのものであり、本開示を一般的に理解するために使用される。本実施形態は、本開示を限定するためと解釈されてはならない。代わりに、本開示の実施形態は、特許請求の範囲に定義されているような本開示の趣旨及び範囲内における変更、調整及びこれらの等価物を全て包含している。
【００２１】
「第１」及び「第２」のような用語は説明するために本明細書で用いられており、相対的な重要性又は意義を示すか意味するように意図されていないことを、当業者は理解する。従って、「第１」及び「第２」を用いて定められた特徴はこの特徴の一又は複数を有してもよい。本発明では、特に指定されていないか限定されていない場合、「取り付けられた」（mounted）、「接続された」（connected）、「連結された」（coupled）、「固定された」（fixed）などの用語が広義に使用されており、例えば固定した接続、着脱可能な接続又は一体的な接続であってもよく、機械的な接続又は電気的な接続であってもよく、直接的な接続又は介在する構造体を介した間接的な接続であってもよく、更に、特定の状況に応じて当業者によって理解され得る２つの要素の内部連通であってもよい。本開示の記載では、「複数の」は特に指定されていない場合、２又は３以上を意味する。
【００２２】
本明細書に他の方法で記載されているフローチャート、処理又は方法は、一又は複数の特定の論理関数を実行するための一又は複数の実行可能命令を有するか、又は実行されるステップの一又は複数の実行可能命令を有するコードのモジュール、セグメント又は部分を表わしてもよいと理解される。また、本開示の好ましい実施形態の範囲は、当業者によって理解されるべき、実行順序がフローチャートに示されている実行順序とは異なってもよい他の実行を含んでいる。
【００２３】
現在、埋込可能な広告は映像に埋め込まれることが多い。しかしながら、埋込可能な広告の記憶及び記録は容易ではない。ユーザが埋込可能な広告又は映像のシーンに関連した他の情報について更に知りたい場合、情報がユーザに便利且つ効率的に提供され得ないので、ユーザは自分で検索しなければならない。
【００２４】
従って、本開示は、情報を提供するための方法であって、アップロードされた映像を得て、勧められた映像のコンテンツに関連したキーフレームを映像から得て、勧められた映像のコンテンツの関連情報を得て、映像を再生装置で再生してキーフレームを再生するときに関連情報を表示するように、映像及び関連情報を再生装置に送信する方法を提供する。
【００２５】
本開示の実施形態に係る情報を提供するための方法及びデバイスを、図面を参照して述べる。
【００２６】
図１は、本開示の一実施形態に係る情報を提供するための方法を示すフローチャートである。
【００２７】
図１に示されているように、情報を提供するための方法は以下のステップを有する。
【００２８】
ステップS101では、アップロードされた映像を得る。
【００２９】
具体的には、映像作成者又は他の所有者によって映像をサーバにアップロードしてもよい。
【００３０】
ステップS102では、勧められた映像のコンテンツに関連したキーフレームを映像から得て、勧められた映像のコンテンツの関連情報を得る。
【００３１】
具体的には、勧められた映像のコンテンツは埋込可能な広告であってもよく、又は、消費物、化粧品、家具、消費場所、国、都市又は観光地のような、映像のシーンに関連したコンテンツであってもよい。ユーザがコンテンツを見る場合、様々な要件を生成してもよく、１種類の要件は、コンテンツに関するユーザの見解について議論したり伝えたりすることであり、他の種類の要件は、同一のブランドの消費物を購入したり、同一の消費場所で消費したり、同一の国、都市又は観光地へ旅行したりするなどの実際の要求である。
【００３２】
従って、まず、勧められた映像のコンテンツを決定することが必要である。本開示の一実施形態では、勧められた映像のコンテンツをサーバで手動で直接抽出してもよく、その後、勧められた映像のコンテンツに関連したキーフレームを決定してもよい。本開示の別の実施形態では、同一のシーンを有するキーフレームを映像から得てもよく、その後、同一のシーンを有するキーフレームを、勧められた映像のコンテンツに関連したキーフレームとして定めてもよい。具体的には、優れた計算能力を使用してサーバによって映像を解析してもよく、同一のシーンを有するキーフレームを映像から得てもよく、その後、キーフレームを自動的に解析して、勧められた映像のコンテンツを得てもよい。例えば、様々な認識技術を使用してサーバによってキーフレームを自動的に解析して、勧められた映像のコンテンツを得てもよい。自動的な解析処理に関しては先行技術を参照してもよく、本明細書には述べていない。
【００３３】
勧められた映像のコンテンツの関連情報は、ユーザの要求に応じて生成される一種の情報である。本開示の一実施形態では、関連情報は、勧められた映像のコンテンツに関連した商品、商品のブランド、商品の価格、商品を購入するためのリンク、関連するウェブサイト、ソーシャルネットワーク、チャットグループ、シーン、シーンに関連したウェブサイト、シーンに関連した製品、製品を購入するためのリンクの一又は複数を含んでもよい。
【００３４】
一実施形態では、勧められた映像のコンテンツの関連情報を得るステップは、勧められた映像のコンテンツに関連したキーフレームを認識して検索キーワードを得て、検索キーワードで検索して、勧められた映像のコンテンツの関連情報を得るステップ、並びに／又は、ユーザ及び／若しくは広告主によって送信された関連情報を受信して、勧められた映像のコンテンツに関連情報を関連付けるステップを有する。
【００３５】
解析及び問い合わせによりサーバによって得られた関連情報、並びにユーザ及び／又は広告主によって送信された関連情報が、対応するデータベースに記憶されてもよいと理解される。
【００３６】
ステップS103では、映像を再生装置で再生してキーフレームを再生するときに関連情報を表示するように、映像及び関連情報を再生装置に送信する。
【００３７】
具体的には再生装置からの再生要求を受信する場合、映像及び関連情報を共に再生装置に送信してもよく、その後、映像を再生装置で再生してもよく、キーフレームを再生するときに関連情報を表示してもよい。或いは、再生装置からの再生要求を受信する場合、まず、映像を再生装置に送信してもよく、次に、キーフレームを再生するとき、関連情報の送信要求をサーバに送信してもよく、その後、サーバは、再生装置で表示されるべき関連情報を再生装置に送信する。
【００３８】
本開示の実施形態に提供されている情報を提供するための方法は、様々な映像再生システム、スマートテレビ、様々なインターネットTV Box、映像再生ウェブサイト、映像再生アプリケーションなどに適用されてもよく、本開示の実施形態に限定されないと理解される。
【００３９】
再生装置は、テレビ、スマートフォン、タブレットPC、コンピュータなどであってもよいと理解される。再生装置がテレビである場合、テレビとの相互作用の不自由さ及びテレビでの映像の排他性のため、ユーザが関連情報を定期受信するか、又はサーバが関連情報を薦めることができるように、関連情報が、スマートフォン、タブレットPC又はユーザのコンピュータに表示されてもよい。
【００４０】
本開示の実施形態に係る情報を提供するための方法では、ユーザが映像を見るとき、ユーザが映像中の埋込可能な広告及びシーンの関連情報を便利且つ効率的に得るように、映像からの勧められた映像のコンテンツに関連したキーフレームをユーザに提供してもよく、従って、ユーザの要求が満たされる。更に、映像に埋め込まれる様々な広告に応じて商品を購入する機会が増え、ユーザ同士の関係、ユーザと映像との関係、及びユーザと商品との関係が確立され、従って、相互作用が高められる。特に、スマートテレビが急速に開発されているという背景に対して、テレビとの相互作用の不自由さ及びテレビでの映像の排他性のため、ユーザは関連情報を迅速且つ直接得ることができないが、本開示の実施形態に係る方法で解決され得る。
【００４１】
上記の実施形態を実施するために、本開示の実施形態は、情報を提供するためのデバイスを提供する。
【００４２】
図２は、本開示の一実施形態に係る情報を提供するためのデバイスを示すブロック図である。
【００４３】
図２に示されているように、情報を提供するためのデバイスは、第１の取得モジュール110 、第２の取得モジュール120 、第３の取得モジュール130 及び送信モジュール140 を備えている。
【００４４】
具体的には、第１の取得モジュール110 はアップロードされた映像を得るべく構成されている。映像作成者又は他の所有者によって映像を第１の取得モジュール110 にアップロードしてもよい。
【００４５】
第２の取得モジュール120 は、勧められた映像のコンテンツに関連したキーフレームを映像から得るべく構成されている。
【００４６】
勧められた映像のコンテンツは埋込可能な広告であってもよく、又は、消費物、化粧品、家具、消費場所、国、都市又は観光地などの映像のシーンに関連したコンテンツであってもよい。ユーザがコンテンツを見る場合、様々な要件を生成してもよく、１種類の要件は、コンテンツに関するユーザの見解について議論したり伝えたりすることであり、他の種類の要件は、同一のブランドの消費物を購入したり、同一の消費場所で消費したり、同一の国、都市又は観光地へ旅行したりするなどの実際の要求である。
【００４７】
従って、まず、勧められた映像のコンテンツを決定することが必要である。本開示の一実施形態では、勧められた映像のコンテンツをサーバで手動で直接抽出してもよく、その後、第２の取得モジュール120 が勧められた映像のコンテンツに関連したキーフレームを得るように、勧められた映像のコンテンツに関連したキーフレームを決定してもよい。本開示の別の実施形態では、第２の取得モジュール120 は、同一のシーンを有するキーフレームを映像から得て、その後、同一のシーンを有するキーフレームを、勧められた映像のコンテンツと関連したキーフレームとして定めるべく構成されている。具体的には、優れた計算能力を使用して第２の取得モジュール120 によって映像を解析してもよく、同一のシーンを有するキーフレームを映像から得てもよく、その後、キーフレームを自動的に解析して、勧められた映像のコンテンツを得てもよい。例えば、様々な認識技術を使用して第２の取得モジュール120 によってキーフレームを自動的に解析して、勧められた映像のコンテンツを得てもよい。自動的な分析処理に関しては先行技術を参照してもよく、本明細書には述べていない。
【００４８】
第３の取得モジュール130 は、勧められた映像のコンテンツの関連情報を得るべく構成されている。
【００４９】
勧められた映像のコンテンツの関連情報は、ユーザの要求に応じて生成される一種の情報である。本開示の一実施形態では、関連情報は、勧められた映像のコンテンツに関連した商品、商品のブランド、商品の価格、商品を購入するためのリンク、関連するウェブサイト、ソーシャルネットワーク、チャットグループ、シーン、シーンに関連したウェブサイト、シーンに関連した製品、製品を購入するためのリンクの一又は複数を含んでもよい。
【００５０】
一実施形態では、第３の取得モジュール130 は、勧められた映像のコンテンツの関連情報を得るべく更に構成されており、勧められた映像のコンテンツの関連情報を得る際に、勧められた映像のコンテンツに関連したキーフレームを認識して検索キーワードを得て、検索キーワードで検索して勧められた映像のコンテンツの関連情報を得るステップ、並びに／又は、ユーザ及び／若しくは広告主によって送信された関連情報を受信し、勧められた映像のコンテンツに関連情報を関連付けるステップを行う。
【００５１】
解析及び問い合わせにより第３の取得モジュール130 によって得られた関連情報、並びにユーザ及び／又は広告主によって送信された関連情報を、対応するデータベースに記憶してもよいと理解される。
【００５２】
映像を再生装置で再生してキーフレームを再生するときに関連情報を表示するように、送信モジュール140 は、映像及び関連情報を再生装置に送信すべく構成されている。再生装置からの再生要求を受信する場合、送信モジュール140 は、映像及び関連情報を共に再生装置に送信してもよく、その後、映像が再生装置で再生されてもよく、キーフレームが再生されるときに関連情報が表示されてもよい。或いは、再生装置からの再生要求を受信する場合、まず、送信モジュール140 は映像を再生装置に送信してもよく、次に、キーフレームが再生されるとき、関連情報の送信要求が送信モジュール140 に送信されてもよく、その後、送信モジュール140 は、再生装置に表示されるべき関連情報を再生装置に送信してもよい。
【００５３】
本開示の実施形態に提供されている情報を提供するためのデバイスは、様々な映像再生システム、スマートテレビ、様々なインターネットTV Box、映像再生ウェブサイト、映像再生アプリケーションなどに適用されてもよく、本開示の実施形態に限定されないと理解される。
【００５４】
再生装置は、テレビ、スマートフォン、タブレットPC、コンピュータなどであってもよいと理解される。再生装置がテレビである場合、テレビとの相互作用の不自由さ及びテレビでの映像の排他性のため、ユーザが関連情報を定期受信するか、又はサーバが関連情報を薦めることができるように、関連情報は、スマートフォン、タブレットPC又はユーザのコンピュータに表示されてもよい。
【００５５】
本開示の実施形態に係る情報を提供するためのデバイスでは、ユーザが映像を見るとき、ユーザが映像中の埋込可能な広告及びシーンの関連情報を便利且つ効率的に得るように、映像からの勧められた映像のコンテンツに関連したキーフレームをユーザに提供してもよく、従って、ユーザの要求が満たされる。更に、映像に埋め込まれる様々な広告に応じて商品を購入する機会が増え、ユーザ同士の関係、ユーザと映像との関係、及びユーザと商品との関係が確立され、従って、相互作用が高められる。特に、スマートテレビが急速に開発されているという背景に対して、テレビとの相互作用の不自由さ及びテレビでの映像の排他性のため、ユーザは関連情報を迅速且つ直接得ることができないが、本開示の実施形態に係る方法で解決され得る。
【００５６】
本開示の実施形態は、情報を提供するための別の方法であって、勧められた映像のコンテンツに関連したキーフレームを含む映像を得て再生し、勧められた映像のコンテンツに関連したキーフレームを再生するとき、勧められた映像のコンテンツの関連情報を得て、関連情報を表示する方法を提供する。
【００５７】
図３は、本開示の別の実施形態に係る情報を提供するための方法を示すフローチャートである。
【００５８】
図３に示されているように、情報を提供するための方法は以下のステップを有する。
【００５９】
ステップS301では、勧められた映像のコンテンツに関連したキーフレームを含む映像を得て再生する。
【００６０】
例えば、再生装置によって再生指示をサーバに送信して、サーバから映像を得る。映像は、勧められた映像のコンテンツに関連したキーフレームを含む。勧められた映像のコンテンツに関連したキーフレームを得る処理は、上記の実施形態に詳細に述べられており、ここでは述べていない。
【００６１】
ステップS302では、勧められた映像のコンテンツに関連したキーフレームを再生するとき、勧められた映像のコンテンツの関連情報を得て関連情報を表示する。
【００６２】
具体的には、再生装置は、映像を得るときに関連情報を得てもよく、勧められた映像のコンテンツに関連したキーフレームを再生するときに関連情報を表示してもよい。或いは、再生装置は映像のみを得てもよく、その後、勧められた映像のコンテンツに関連したキーフレームを再生するとき、表示すべき関連情報をサーバから得てもよい。関連情報、及び関連情報を得る処理は、上記の実施形態に詳細に述べられており、ここでは述べていない。
【００６３】
本開示の実施形態に係る情報を提供するための方法では、ユーザが映像を見るとき、ユーザが映像中の埋込可能な広告及びシーンの関連情報を便利且つ効率的に得るように、映像からの勧められた映像のコンテンツに関連したキーフレームをユーザに提供してもよく、従って、ユーザの要求が満たされる。更に、映像に埋め込まれる様々な広告に応じて商品を購入する機会が増え、ユーザ同士の関係、ユーザと映像との関係、及びユーザと商品との関係が確立され、従って、相互作用が高められる。特に、スマートテレビが急速に開発されているという背景に対して、テレビとの相互作用の不自由さ及びテレビでの映像の排他性のため、ユーザは関連情報を迅速且つ直接得ることができないが、本開示の実施形態に係る方法で解決され得る。
【００６４】
上記の実施形態を実施するために、本開示は、情報を提供するためのデバイスであって、勧められた映像のコンテンツに関連したキーフレームを含む映像を得て再生すべく構成された第１の取得モジュールと、勧められた映像のコンテンツに関連したキーフレームが再生されるとき、勧められた映像のコンテンツの関連情報を得るべく構成された第２の取得モジュールと、関連情報を表示すべく構成された表示モジュールとを備えたデバイスを提供する。
【００６５】
図４は、本開示の別の実施形態に係る情報を提供するためのデバイスを示すブロック図である。
【００６６】
図４に示されているように、情報を提供するためのデバイスは、第１の取得モジュール210 、第２の取得モジュール220 及び表示モジュール230 を備えている。
【００６７】
第１の取得モジュール210 は、勧められた映像のコンテンツに関連したキーフレームを含む映像を得て再生すべく構成されている。例えば、第１の取得モジュール210 は、再生指示をサーバに送信して、その後サーバから映像を得る。映像は、勧められた映像のコンテンツに関連したキーフレームを含む。勧められた映像のコンテンツに関連したキーフレームを得る処理は、上記の実施形態に詳細に述べられており、ここでは述べていない。
【００６８】
第２の取得モジュール220 は、勧められた映像のコンテンツに関連したキーフレームが再生されるとき、勧められた映像のコンテンツの関連情報を得るべく構成されている。より具体的には、第２の取得モジュール220 は、映像を得るときに関連情報を得てもよく、勧められた映像のコンテンツに関連したキーフレームが再生されるときに関連情報を表示してもよい。或いは、第２の取得モジュール220 は映像のみを得てもよく、その後、勧められた映像のコンテンツに関連したキーフレームが再生されるとき、表示すべき関連情報をサーバから得てもよい。関連情報、及び関連情報を得る処理は、上記の実施形態に詳細に述べられており、ここでは述べていない。
【００６９】
表示モジュール230 は、関連情報を表示すべく構成されている。
【００７０】
本開示の実施形態に係る情報を提供するためのデバイスでは、ユーザが映像を見るとき、ユーザが映像中の埋込可能な広告及びシーンの関連情報を便利且つ効率的に得るように、映像からの勧められた映像のコンテンツに関連したキーフレームをユーザに提供してもよく、従って、ユーザの要求が満たされる。更に、映像に埋め込まれる様々な広告に応じて商品を購入する機会が増え、ユーザ同士の関係、ユーザと映像との関係、及びユーザと商品との関係が確立され、従って、相互作用が高められる。特に、スマートテレビが急速に開発されているという背景に対して、テレビとの相互作用の不自由さ及びテレビでの映像の排他性のため、ユーザは関連情報を迅速且つ直接得ることができないが、本開示の実施形態に係る方法で解決され得る。
【００７１】
本開示の実施形態に係るコンピュータ可読記憶媒体が更に提供される。コンピュータ可読記憶媒体は、コンピュータで実行するとき、本開示の上記の実施形態に係る情報を提供するための方法を実行するためのコンピュータプログラムを有する。
【００７２】
本開示の夫々の部分がハードウェア、ソフトウェア、ファームウェア又はこれらの組み合わせによって実現されてもよいと理解すべきである。上記の実施形態では、複数のステップ又は方法は、メモリに記憶されて適切な命令実行システムによって実行されるソフトウェア又はファームウェアによって実現されてもよい。例えば、本開示の夫々の部分が別の実施形態で同様にハードウェアによって実現される場合、前記ステップ又は方法は、本技術分野で公知の技術、つまり、データ信号の論理関数を実現するためのロジックゲート回路を有する別個の論理回路、適切な組み合わせロジックゲート回路を有する特定用途向け集積回路、プログラマブルゲートアレイ（PGA ）、フィールドプログラマブルゲートアレイ（FPGA）などの１つ又は組み合わせによって実現されてもよい。
【００７３】
本明細書を通じた「一実施形態」、「ある実施形態」、「実施形態」、「具体例」又は「ある例」への言及は、実施形態又は例に関して述べられている特定の特徴、構造、材料又は特性が、本開示の少なくとも一実施形態又は例に含まれていることを意味する。従って、本明細書全体を通じた様々な箇所でのこれらの用語の言及は、必ずしも本開示の同一の実施形態又は例を指さない。更に、特定の特徴、構造、材料又は特性が一若しくは複数の実施形態又は例にあらゆる適切な方法で組み合わせられてもよい。更に、矛盾がない場合、様々な実施形態、例、又は様々な実施形態若しくは例の特徴が当業者によって組み合わせられてもよい。
【００７４】
説明的な実施形態が示され述べられているが、上記の実施形態は説明するためのものであり、本開示を限定すると解釈されることができず、変更、選択及び調整が本開示の範囲から逸脱することなく当業者によって本実施形態になされ得ると認識される。
【図１】
2015171142.tif 000003
【図２】
2015171142.tif 000004
【図３】
2015171142.tif 000005
【図４】
2015171142.tif 000006
【手続補正書】
【提出日】平成27年1月23日(2015.1.23)
【手続補正１】
【補正対象書類名】明細書
【補正対象項目名】００５９
【補正方法】変更
【補正の内容】
【００５９】
ステップS201では、勧められた映像のコンテンツに関連したキーフレームを含む映像を得て再生する。
【手続補正２】
【補正対象書類名】明細書
【補正対象項目名】００６１
【補正方法】変更
【補正の内容】
【００６１】
ステップS202では、勧められた映像のコンテンツに関連したキーフレームを再生するとき、勧められた映像のコンテンツの関連情報を得て関連情報を表示する。
【外国語明細書】
2015171142.tif 000007
2015171142.tif 000008
2015171142.tif 000009
2015171142.tif 000010
2015171142.tif 000011
2015171142.tif 000012
2015171142.tif 000013
2015171142.tif 000014
2015171142.tif 000015
2015171142.tif 000016
2015171142.tif 000017
2015171142.tif 000018
2015171142.tif 000019
2015171142.tif 000020
2015171142.tif 000021
2015171142.tif 000022
2015171142.tif 000023
【図１】
2015171142.tif 000024
【図２】
2015171142.tif 000025
【図３】
2015171142.tif 000026
【図４】
2015171142.tif 000027